(57)【特許請求の範囲】
【請求項１】
容器本体と、内容物を保持するとともに該容器本体の内側に配置される内容器とを備えた二重容器であって、
前記内容器と容器本体との相互間に加圧媒体を介在せしめる空間領域を有し、
該内容器は、バルブに向けて折畳み可能な蛇腹状の複数の屈曲部を有し、バルブの開放にて空間領域内の加圧媒体により内容器そのものの容積を減少させて内容物を排出する減容可能体からなり、
前記内容器に、内容器の内側から容器本体の内側への通行のみを可能とするチェック弁を設け、
前記容器本体に、外側へ向けて突出した球形状をなす底部と、この底部に取り付けられ安定的な載置を実現する起立用のスカートを設け
前記内容器を、その開口端部で容器本体に固定保持するとともに、容器本体の内側と蓋体との間に当該内容器を折り畳んで収納する空間を形成してなる、ことを特徴とする二重容器。
【発明の詳細な説明】
【０００１】
【発明の属する技術分野】
本発明は、容器本体の中に内容物を充てんした内容器を備えた二重容器に関し、該二重容器の保持姿勢のいかんにかかわらず、充てん内容物を安定的に排出、供給しようとするものである。
【０００２】
【従来の技術】
分散相を内容物とし、分散媒を加圧媒体として該内容物を加圧媒体とともに排出するようにしたエアロゾルタイプの容器は、近年、ヘアスプレやジェルを充てんした化粧料容器等において多く採用される傾向にある。
【０００３】
ところで、この種の容器は、内容物を取り出す際の容器の姿勢によっては、加圧媒体のみが噴出することがあり、内容物を安定的に容器から排出するためにはノズルにつながる開閉バルブを必ず上側にくるように容器の姿勢を保持する必要があって使い勝手がよいとはいえず、加圧媒体のみの噴出が頻繁に起こる場合、内容物を使い切ることが不可能になるおそれもありその改善が望まれている。
【０００４】
【発明が解決しようとする課題】
本発明の課題は、容器の保持姿勢のいかんにかかわらず内容物を安定的に排出、供給できる新規な容器を提案するところにある。
【０００５】
【課題を解決するための手段】
本発明は、容器本体と、内容物を保持するとともに該容器本体の内側に配置される内容器とを備えた二重容器であって、
前記内容器と容器本体との相互間に加圧媒体を介在せしめる空間領域を有し、
該内容器は、バルブに向けて折畳み可能な蛇腹状の複数の屈曲部を有し、バルブの開放にて空間領域内の加圧媒体により内容器そのものの容積を減少させて内容物を排出する減容可能体からなり、
前記内容器に、内容器の内側から容器本体の内側への通行のみを可能とするチェック弁を設け、
前記容器本体に、外側へ向けて突出した球形状をなす底部と、この底部に取り付けられ安定的な載置を実現する起立用のスカートを設け、
前記内容器を、その開口端部で容器本体に固定保持するとともに、容器本体の内側と蓋体との間に当該内容器を折り畳んで収納する空間を形成してなる、ことを特徴とする二重容器である。
【０００８】
【発明の実施の形態】
本発明の容器は、容器本体と内容器との組合せになる二重容器として、それらの相互間に形成される空間領域内に加圧媒体を介在せしめる。
【０００９】
内容器につながるバルブを開放し、加圧媒体にて内容器を減容させると、その中に充てんされている内容物はバルブへと押し出され、このバルブにつながるノズルから容器外へと排出される。
【００１０】
この場合、加圧媒体は該内容器を減容させる向きに常に作用していて、容器の保持姿勢にかかわりなく安定的な排出、供給が可能になる。
【００１１】
以下、図面を参照して本発明をより具体的に説明する。
図１は本発明に従う二重容器の構成例につき、内容物を充てんする前の断面を示したものである。
図において１はポリエチレンテレフタレート製の容器本体、２は容器の軸線方向に沿い折畳むことによって充てん容積の変更（減容）を可能とした複数の屈曲部hを有する蛇腹状の例で示した減容可能体からなる内容器であって、この内容器２は容器本体１の内側に配置される（折畳み状態で示してある。）。
【００１２】
また、３は内容器２をその開口端部で容器本体１にオーリングの如きシール部材にて気密状態で固定保持する蓋体、４は内容器２の底部に設けられ、そこから容器本体１の内側への通行のみを可能とするチェック弁、５は蓋体３の内側にオーリングの如きシール部材にて気密状態で保持されるジョイント部材、６はジョイント部材５の先端に装着され、該内容器２内に充てんした内容物を排出するためのバルブ（エアロゾルバルブ等）、７はバルブ６の中空バルブステム６ａに被さり、該バルブステム６ａの押圧によってそこから出てくる内容物を通す通路を有するノズル、８は容器本体１の底部を球形にした場合において容器の安定した載置を可能とするスカートである。
【００１３】
かかる容器において、内容物を充てんするには、まず、バルブ６のステム６ａを押圧して容器の内外を連通させた開状態にして容器内にエアーの如き加圧媒体を供給する。
【００１４】
加圧媒体は、内容器２内はもちろんのこと、チェック弁４を通して容器本体１の内側の空間領域Ｋに供給され、このとき、内容器２の充てん空間Ｕは図２に示すような状態に拡大される。
【００１５】
次いで、内容器２内に供給された加圧媒体を容器外へ排出し、この時、内容器２は上掲図１に示すような状態に戻ることになるが、内容器２と容器本体１の相互間に供給された加圧媒体は、チェック弁４によって空間領域Ｋにそのまま残存することになる。
【００１６】
この状態で内容器２内に内容物を充てんすることにより内容器２は再び図２に示すような状態になり、空間領域Ｋに残存する加圧媒体によって内容器２には常にそれを減容させようとする力が働き、これがため、容器がどのような姿勢にあろうとも、バルブ６の開放により内容物はノズル７から安定的に排出、供給される。
【００１７】
上掲図１においては、内容器２はバルブ６に向けて折り畳むことによってその減容を可能とした複数の屈曲部hを有するものを例として示したが、かかる内容器２は、基本的には減容が可能で、かつ、チェック弁４の取りつけが可能なものであるならば屈曲部を有しない薄肉の袋状のものであってもよい。
【００１８】
図３は、上掲図１、図２に示した容器の他の構成例を示したものである。
この容器は、減容可能体である内容器２として容器の軸方向に３箇所の屈曲部hを設け、図４の如く、内容器２内への内容物の充てん前において該内容器２を蓋体３との間で形成される空間に折り畳んで収納できる構造のものである。
【００１９】
このタイプの二重容器は、上掲図１、２に示した容器と同様の要領に従い内容物を充てんすることができるが、容器の組みたて前の内容器２の取り扱いにおいてそれに損傷を与えることがないように保護することができる利点がある。
【００２０】
内容物は加圧媒体にて内容器２を減容させることにより排出するものであり、容器本体１内は高い圧力に保持されるので、とくに、容器の底部の外観は内圧の均一化を図る観点から球形状にしておく必要があり、この場合、保管等において容器を安定的に載置させるため、かかる部位に起立用のスカート８を取りつけることが肝要になる。
【００２１】
本発明において対象とする容器は、実施例においてはポリエチレンテレフタレート製としたが、それ以外に耐薬品性に優れるポリアミド、ポリカーボネート、ポリアセタール、ポリプチレンテレフタレート等の樹脂、あるいはポリエチレンやポリプロピレン等ポリオレフィン系の熱可塑性樹脂や金属等でも構成することができる。
【００２２】
とくに、ポリエチレンテレフタレート等の熱可塑性樹脂によって容器を構成する場合、容器本体１や内容器２は二軸延伸ブロー成形法若しくはダイレクトブロー成形法を適宜に適用することができる。この場合、容器は透明とすることが可能なので中身を外から確認することができ、内容物の残量が把握し易い。また、蓋体３、チェック弁４、ジョイント部材５、ノズル７、スカート８あるいはバルブ６の構成部材は射出成形法を適用することができる。
【００２３】
図５（ａ）（ｂ）に容器本体１の側面（中心線を境にして右半分が断面、左半分が外観）及び底面を、また、図６、図７に上掲図２、図３に示した容器の内容器２のみを取り出してその側面（中心線を境にして右半分が断面、左半分が外観）をそれぞれ示す。
【００２４】
図８、図９は上掲図１、図２及び図３、図４に示した容器につき、容器本体１、内容器２、蓋体３、ジョイント部材５の組み込み状況につき拡大して示したものである。
【００２５】
本発明に従う容器は、図８、図９に示す如く、内容器２の開口端部を容器本体１に係合させ、該容器本体１のアンダーカット部分で嵌合する蓋体３にて挟み込むようにして固定保持するようにし、内容器２と容器本体１との間及び蓋体３とジョイント部材５との間にはそれぞれ気密状態を保持するためオーリング９を介在させた構造を例として示したが、本発明はこの構造にのみ限定されるものではなく、種々の固定保持方式、気密保持方式が採用される。
【００２６】
【発明の効果】
本発明によれば、内容物を直接保持する内容器を減容可能体として、その外側から常に加圧媒体の圧力を作用させるようにしたので、容器がどのような保持姿勢にあろうとも内容物を安定的に排出するこができる。
【図面の簡単な説明】
【図１】  本発明に従う二重容器の構成を示した図である。
【図２】  図１に示した二重容器において内容器を拡大した状態で示した図である。
【図３】  本発明に従う二重容器の他の構成を示した図である。
【図４】  図３に示した二重容器において内容器を折り畳んだ状態を示した図である。
【図５】（ａ）は容器本体１の側面を示した図であり、（ｂ）は底面を示した図である。
【図６】  図１に示した容器の内容器のみを示した図である。
【図７】  図３に示した容器の内容器のみを示した図である。
【図８】  図１の要部を拡大して示した図である。
【図９】  図３の要部を拡大して示した図である。
【符号の説明】
１  容器本体
２  内容器
３  蓋体
４  チェック弁
５  ジョイント部材
６  バルブ
７  ノズル
８  スカート
９  オーリング
Ｋ  空間
Ｕ  空間
【図１】
0004132561.tif 000002
【図２】
0004132561.tif 000003
【図３】
0004132561.tif 000004
【図４】
0004132561.tif 000005
【図５】
0004132561.tif 000006
【図６】
0004132561.tif 000007
【図７】
0004132561.tif 000008
【図８】
0004132561.tif 000009
【図９】
0004132561.tif 000010